(57)【要約】　　【課題】　可動部材の最大開閉回数を変化させることにより、遊技者の興趣を増大できる弾球遊技機を提供する。  　【解決手段】　所定入賞手段14の遊技球の入賞検出に基づいて可変入賞手段13の可動部材22を一時的に開動作させる第１制御手段40と、可動部材22の開動作により可変入賞手段13内の特定入賞検出手段29が遊技球を検出することにより所定条件を成立させる所定条件成立手段41と、所定条件の成立により可動部材22を開閉し、且つ該可動部材22が最大開閉回数まで開閉するか、最大開閉回数開閉するまでの間の動作終了条件の成立により可動部材22を閉状態に停止させる第２制御手段42と、所定条件の成立により可動部材22の最大開閉回数を複数種類の中から択一的に選択設定する開閉回数設定手段47とを備える。【選択図】　　図５
2004136122.tif 000002
【特許請求の範囲】
【請求項１】
遊技者に有利な第１状態と不利な第２状態とに開閉可能な可動部材(22)と、内部に設けられた特定入賞検出手段(29)とを有する可変入賞手段(13)を備え、該可変入賞手段(13)とは別に設けられた所定入賞手段(14)と、該所定入賞手段(14)の遊技球の入賞検出に基づいて前記可動部材(22)を前記第１状態に開動作させる第１制御手段(40)と、前記特定入賞検出手段(29)の遊技球の入賞検出に基づいて所定条件を成立させる所定条件成立手段(41)とを備え、前記所定条件成立手段(41)による前記所定条件の成立により前記可動部材(22)を開閉し、且つ該可動部材(22)が最大開閉回数まで開閉するか、最大開閉回数開閉するまでの間の動作終了条件の成立により前記可動部材(22)を前記第２状態で停止させる機能と、前記所定条件の成立後に前記特定入賞検出手段(29)が遊技球を検出することによる継続条件の成立により前記可動部材(22)の開閉動作を継続させる機能とを有する第２制御手段(42)を備えた弾球遊技機において、前記可変入賞手段(13)は、前記特定入賞検出手段(29)の上側に配置され且つ前記所定条件の成立又は前記継続条件の成立により遊技球を停留する停留手段(28)を備え、複数種類の開閉回数データを記憶する開閉回数データ記憶部(48)と、前記所定条件が成立したときに、前記複数種類の開閉回数データから、その１つを乱数により抽選する開閉回数抽選部(49)と、前記開閉回数抽選部(49)により抽選された開閉回数データを前記可動部材(22)の前記最大開閉回数として設定する機能とを備えたことを特徴とする弾球遊技機。
【発明の詳細な説明】
【技術分野】
【０００１】
本発明は、パチンコ機、アレンジボール機、雀球遊技機等の弾球遊技機に関するものである。
【背景技術】
【０００２】
パチンコ機は、遊技盤の遊技領域に遊技球を発射し、その遊技球が遊技領域内の入賞手段に入賞したときに、払い出し手段により１入賞当たり規定数の賞品球を払い出して、遊技者に対して入賞利益を還元する。
【０００３】
　第２種のパチンコ機では、可動部材を備えた可変入賞手段と、この可変入賞手段とは別の所定入賞手段とを遊技領域に配置し、所定入賞手段に遊技球が入賞したときに、可変入賞手段の可動部材が一時的（例えば０．５秒間程度）に開放し、この可動部材の開放中に可変入賞手段に入賞した遊技球が、可変入賞手段の内部の特定入賞検出手段を通過して、この特定入賞検出手段が遊技球を検出したときに所謂大当たりが発生する。
【０００４】
　そして、大当たりが発生すれば、可動部材が開閉する大当たり動作を開始し、この可動部材が一定回数（例えば１８回）開閉するか、又は一定回数開閉するまでの間に可変入賞手段に所定個数（例えば１０個）の遊技球が入賞することにより、可動部材が開閉する大当たり動作を終了し、また特定入賞検出手段が大当たり動作中に入賞した遊技球を検出すれば、最大所定ラウンド数（例えば１６ラウンド）まで大当たり動作を継続する。
【発明の開示】
【発明が解決しようとする課題】
【０００５】
　従来のパチンコ機では、可変入賞手段に所定個数の遊技球が入賞するまでと言う条件はあるものの、大当たり動作中の可動部材の最大開閉回数が一定である。このため大当たりが発生すれば、比較的安定した利益の還元を受け得る反面、極端な利益もなければ不利益もなく、遊技者にとっては変化に乏しく緊迫感の点で興趣に欠ける欠点がある。
【０００６】
　本発明は、このような従来の課題に鑑み、可動部材の最大開閉回数を変化させることにより、遊技者の興趣を増大できる弾球遊技機を提供することを目的とする。
【課題を解決するための手段】
【０００７】
本発明は、遊技者に有利な第１状態と不利な第２状態とに開閉可能な可動部材22と、内部に設けられた特定入賞検出手段29とを有する可変入賞手段13を備え、該可変入賞手段13とは別に設けられた所定入賞手段14と、該所定入賞手段14の遊技球の入賞検出に基づいて前記可動部材22を前記第１状態に開動作させる第１制御手段40と、前記特定入賞検出手段29の遊技球の入賞検出に基づいて所定条件を成立させる所定条件成立手段41とを備え、前記所定条件成立手段41による前記所定条件の成立により前記可動部材22を開閉し、且つ該可動部材22が最大開閉回数まで開閉するか、最大開閉回数開閉するまでの間の動作終了条件の成立により前記可動部材22を前記第２状態で停止させる機能と、前記所定条件の成立後に前記特定入賞検出手段29が遊技球を検出することによる継続条件の成立により前記可動部材22の開閉動作を継続させる機能とを有する第２制御手段42を備えた弾球遊技機において、前記可変入賞手段13は、前記特定入賞検出手段29の上側に配置され且つ前記所定条件の成立又は前記継続条件の成立により遊技球を停留する停留手段28を備え、複数種類の開閉回数データを記憶する開閉回数データ記憶部48と、前記所定条件が成立したときに、前記複数種類の開閉回数データから、その１つを乱数により抽選する開閉回数抽選部49と、前記開閉回数抽選部49により抽選された開閉回数データを前記可動部材22の前記最大開閉回数として設定する機能とを備えたものである。
【発明の効果】
【０００８】
本発明によれば、遊技者に有利な第１状態と不利な第２状態とに開閉可能な可動部材22と、内部に設けられた特定入賞検出手段29とを有する可変入賞手段13を備え、該可変入賞手段13とは別に設けられた所定入賞手段14と、該所定入賞手段14の遊技球の入賞検出に基づいて可動部材22を第１状態に開動作させる第１制御手段40と、特定入賞検出手段29の遊技球の入賞検出に基づいて所定条件を成立させる所定条件成立手段41とを備え、所定条件成立手段41による所定条件の成立により可動部材22を開閉し、且つ該可動部材22が最大開閉回数まで開閉するか、最大開閉回数開閉するまでの間の動作終了条件の成立により可動部材22を第２状態で停止させる機能と、所定条件の成立後に特定入賞検出手段29が遊技球を検出することによる継続条件の成立により可動部材22の開閉動作を継続させる機能とを有する第２制御手段42を備えた弾球遊技機において、可変入賞手段13は、特定入賞検出手段29の上側に配置され且つ所定条件の成立又は継続条件の成立により遊技球を停留する停留手段28を備え、複数種類の開閉回数データを記憶する開閉回数データ記憶部48と、所定条件が成立したときに、複数種類の開閉回数データから、その１つを乱数により抽選する開閉回数抽選部49と、開閉回数抽選部49により抽選された開閉回数データを可動部材22の最大開閉回数として設定する機能とを備えているので、可動部材22の最大開閉回数の変化等により遊技者の興趣を増大できる利点がある。
【発明を実施するための最良の形態】
【０００９】
以下、本発明の実施形態を図面に基づいて詳述する。図１〜図５は本発明の第１の実施形態を例示し、図１において、1 は遊技機本体で、開閉自在に枢着された前枠2 を有する。前枠2 には遊技盤3 が裏側から着脱自在に装着され、また遊技盤3 の前側にガラス扉4 と前面板5 とが開閉自在に配置されている。
【００１０】
　前面板5 には、発射用の遊技球を貯留する上皿6 が装着されている。前枠2 の下部には、余剰球を貯留する下皿7 と、発射手段8 の発射ハンドル9 とが夫々設けられている。前面板5 の裏側にはスピーカ10が設けられている。
【００１１】
遊技盤3 には、図２に示すように、ガイドレール11が環状に装着されると共に、そのガイドレール11の内側の遊技領域12の略中央に可変入賞手段13が設けられている。また可変入賞手段13の下方に所定入賞手段14及び下部入賞手段15が、可変入賞手段13の左右両側に普通入賞手段16及び開閉入賞手段17が夫々設けられている。
【００１２】
可変入賞手段13は、図３及び図４に示すように、遊技盤3 の前面側に配置された上部ケース18と、遊技盤3 の装着孔19に嵌合された下部ケース20とを備えている。上部ケース18には、入賞口21と、この入賞口21を開閉する爪状の可動部材22とが左右両側に、第１報知手段23と第２報知手段24とが前面側に夫々設けられ、また入賞口21から入賞した遊技球を下部ケース20の上部中央側に案内する案内通路25が内部に設けられている。
【００１３】
　可動部材22は、下部側の前後方向の枢軸26により上部ケース18に枢支され、枢軸26から側方に突出して遊技者に有利な第１状態と、入賞口21を閉じて遊技者に不利な第２状態との間で開閉自在である。なお、可動部材22は、第１状態では上側から落下する遊技球を入賞口21へと案内可能である。可動部材22は、図外のソレノイド等により開閉駆動可能である。
【００１４】
　下部ケース20には、その前面側に透視窓27が設けられると共に、透視窓27の内部に停留手段28と特定入賞検出手段29とが上下に設けられ、また内部の下部側に計数入賞検出手段31が設けられている。透視窓27は、下部ケース20の内部を前面側から透視可能である。停留手段28、特定入賞検出手段29は、案内通路25の終端側の誘導口30と計数入賞検出手段31との間に上下方向に所定間隔をおいて略一列状に配置されている。
【００１５】
　停留手段28は、左右一対の保持部32と、この保持部32間に前後方向に出退自在に設けられた停留部材33とを備え、誘導口30の直下で下部ケース20内の左右方向の中央部に配置されている。そして、この停留手段28は、停留部材33が前方に突出したときに、その保持部32間で停留部材33上に遊技球を１個停留させ、停留部材33が後退したときに、その遊技球の停留を解除するようになっている。停留部材33は、左右の保持部32により前後方向に摺動自在に案内され、下部ケース20の裏板34に装着されたソレノイド35により前後方向に出退駆動可能である。
【００１６】
　特定入賞検出手段29は、停留手段28の保持部32間を経て落下する遊技球の通過を検出して遊技者に有利な権利を発生させるためのものであり、下部ケース20の裏板34側の支持部36に着脱自在に装着されている。計数入賞検出手段31は、入賞口21から入賞する遊技球の全てを検出して計数するためのもので、下部ケース20の裏板34側の支持部36に着脱自在に装着されている。
【００１７】
　特定入賞検出手段29の上側には、この特定入賞検出手段29への遊技球の通過を阻止可能な阻止手段37が設けられている。この阻止手段37は、支持部36により前後方向に出退自在に支持された阻止部材38を備え、その阻止部材38は下部ケース20の裏板34に装着されたソレノイド39により前後方向に出退駆動可能である。そして、阻止手段37は、阻止部材38が前方に突出したときに、特定入賞検出手段29への遊技球の通過を阻止し、阻止部材38が後退したときに、その通過を許容するようになっている。
【００１８】
　なお、下部ケース20内には、停留手段28に遊技球が停留状態のときに、後続の遊技球が停留手段28の上側から左右両側を経て下部ケース20内を落下するように、停留手段28の上側及び左右両側に所定の空間が設けられている。また停留手段28と阻止手段37との間にも、阻止手段37の阻止部材38に衝突した遊技球を左右に案内するように所定の空間が設けられている。
【００１９】
図５は制御系のブロック図である。40は第１制御手段であって、所定入賞手段14の遊技球の入賞検出に基づいて可動部材22を一時的（例えば０．５秒間程度）に第１状態に開動作させるためのものであり、所定入賞手段14が遊技球を検出したときに可動部材22を一定時間だけ開放すべく制御するようになっている。
【００２０】
　41は所定条件成立手段で、第１制御手段40による可動部材22の第１状態への開動作に関連する特定入賞検出手段29の遊技球の入賞検出に基づいて所定条件を成立させるためのものである。この所定条件成立手段41は、第１制御手段40の制御により可動部材22が一時的に開動作したときに、可変入賞手段13内に遊技球が入賞して、その遊技球を特定入賞検出手段29が検出することにより、所定条件が成立したものとして遊技者に有利な権利を発生させるようになっている。
【００２１】
　42は第２制御手段で、所定条件成立手段41による所定条件の成立により可動部材22が所定回数連続的に開閉動作し、且つ所定の動作終了条件の成立により可動部材22が第２状態で停止するように、可動部材22を開閉、停止制御するためのものである。
【００２２】
この第２制御手段42は、所定条件成立手段41による所定条件の成立（権利発生）により可動部材22を連続的に開閉動作させる開閉制御部43と、所定の動作終了条件の成立により可動部材22を第２状態で停止させる停止制御部44と、所定条件の成立後に特定入賞検出手段29が遊技球を検出することによる継続条件の成立により可動部材22の開閉動作を最大所定ラウンド数（例えば１６ラウンド）まで継続させる継続制御部45と、停留手段28及び阻止手段37を制御する停留・阻止制御部46とを備えている。
【００２３】
　開閉制御部43は、所定条件成立手段41が所定条件の成立と判定したときに、所定の開閉時間で可動部材22を開閉制御するようになっている。停止制御部44は、可動部材22が最大開閉回数まで開閉したとき、又はその最大開閉回数、可動部材22が開閉するまでの間に計数入賞検出手段31が所定個数の遊技球を検出したときに動作終了条件の成立と判定し、その判定結果により開閉制御部43に停止指令を出して、可動部材22を閉状態で停止させるようになっている。
【００２４】
　継続制御部45は、所定条件成立手段41による所定条件の成立後に特定入賞検出手段29が遊技球の入賞を検出したときに開閉制御部43に継続指令を出して、可動部材22の開閉動作を継続させるようになっている。
【００２５】
　停留・阻止制御部46は、所定条件成立手段41が所定条件の成立と判定するまでの間、停留手段28の停留部材33及び阻止手段37の阻止部材38を後退させておく第１制御機能と、所定条件成立手段41が所定条件の成立と判定したときに、及び継続制御部45が継続条件の成立と判定したときに、停留手段28の停留部材33を前進させて遊技球を停留可能にし、停止制御部44が動作終了条件の成立と判定したときに停留部材33を後退させる第２制御機能と、最終ラウンドのときに停留手段28の停留部材33を後退させて阻止手段37の阻止部材38を前進させておく第３制御機能とを有する。
【００２６】
47は開閉回数抽選手段で、所定条件成立手段41による所定条件の成立に関連して可動部材22の最大開閉回数を複数種類の中から択一的に抽選して設定するためのものである。この開閉回数抽選手段47は、複数種類の開閉回数データを記憶する開閉回数データ記憶部48と、所定条件成立手段41による所定条件が成立したときに、開閉回数データ記憶部48の複数種類の開閉回数データの中から、その１つの開閉回数データを乱数制御により抽選して読み出す開閉回数抽選部49とを備え、停止制御部44のメモリの記憶データを開閉回数抽選部49により抽選された開閉回数データに更新して、そのときの可動部材22の最大開閉回数を設定するようになっている。
【００２７】
　この場合、可動部材22の最大開閉回数は、所定条件の成立により可動部材22が開閉動作を開始した時点から、次ラウンドの開閉動作を継続せずに動作終了するまでの最大値、又は可動部材22が開閉動作の継続を開始した時点から、次ラウンドの開閉動作を継続せずに動作終了するまでの最大値である。なお、この実施形態では、所定条件の成立に関連して開閉回数抽選手段47が最大開閉回数を抽選して設定しているため、その最大開閉回数は各ラウンドとも同じである。
【００２８】
　因みに、開閉回数データ記憶部48には、５回、１０回、１５回、２０回及び２５回の５種類の開閉回数データが予め記憶され、開閉回数抽選部49がその５種類の開閉回数データの中から何れか１つを抽選して設定するようになっており、各ラウンドを通じて可動部材22がその設定された最大開閉回数で開閉動作を行うことになる。
【００２９】
　第１報知手段23は、開閉回数抽選手段47により抽選された最大開閉回数に関連する情報を報知するためのもので、そのときの最大開閉回数を直接数字等で表示するようになっている。なお、この第１報知手段23は、５回、１０回、１５回、２０回及び２５回の５種類の開閉回数を表示ランプの発光個数の変化等で間接的に表示するようにしても良い。
【００３０】
　第２報知手段24は、可動部材22が開閉動作を開始した時点からの開閉回数に関連する情報及び／又は可動部材22が開閉動作の継続を開始した時点からの開閉回数に関連する情報を報知するためのもので、可動部材22の開閉回数を直接数字等で表示するようになっている。なお、この第２報知手段24は、可動部材22の開閉回数に応じて発光表示手段の発光部分をレベルメータ的に変化させて、その発光部分の長さ等で間接的に表示するようにしても良い。
【００３１】
次に上記弾球遊技機における動作について説明する。遊技に際して発射手段8 の発射ハンドル9 を操作すると、上皿6 の遊技球が発射手段8 の発射動作に連動して発射部に１個づつ供給され、その遊技球を打撃槌で打撃してガイドレール11に沿って順次遊技領域12へと発射させる。
【００３２】
そして、この遊技領域12の上部側に発射された遊技球が盤面に沿って落下する間に、その遊技球が入賞手段等に入賞すると、払い出し手段が規定数の賞品球を払い出して遊技者に利益を還元する。
【００３３】
　遊技球が所定入賞手段14に入賞すると、第１制御手段40により可動部材22が短時間だけ一時的に第１状態へと開放する。このとき可動部材22上へと落下する遊技球があれば、その遊技球は可動部材22により案内されて入賞口21へと入賞し、上部ケース18内の案内通路25、誘導口30を経て下部ケース20内へと落下する。
【００３４】
　所定条件の成立前は、停留手段28の停留部材33が後退しており、阻止手段37の阻止部材38が前後に動いている。そして、誘導口30から落下する遊技球がタイミングよく阻止部材38の後退中に落下して特定入賞検出手段29を通過し、特定入賞検出手段29がその遊技球の入賞を検出すると、所定条件成立手段41が所定条件の成立と判定して、遊技者に有利な権利が発生する。
【００３５】
　これによって開閉回数抽選手段47が働き、その開閉回数抽選部49が開閉回数データ記憶部48に記憶された５種類の開閉回数データの中から１種類の開閉回数データを乱数制御により抽選し、第２制御手段42の停止制御部44のメモリの記憶データをその開閉回数データに更新し、動作終了条件の１つである最大開閉回数を設定する。
【００３６】
　例えば、開閉回数抽選部49が１０回の開閉回数データを抽選すれば、その後の各ラウンドにおける可動部材22の最大開閉回数が１０回となり、また２０回の開閉回数データを抽選すれば、同様に可動部材22の最大開閉回数が２０回となる。そして、この最大開閉回数は、第１報知手段23により数字等で表示されるので、遊技者は、その後のラウンドでの最大開閉回数を容易に把握できる。
【００３７】
　一方、所定条件が成立すれば、第２制御手段42の開閉制御部43の制御により、可動部材22が所定時間間隔で連続的に開閉動作を行い、可動部材22を経て入賞口21へと遊技球が入賞し易くなる。また可動部材22が開閉動作を始めると、第２報知手段24がこの可動部材22の実際の開閉回数を数字等で表示するので、遊技者はその開閉回数を容易に把握できる。
【００３８】
　可動部材22の開閉動作と同時に停留・阻止制御部46の制御によって停留手段28の停留部材33が前進し、停留手段28上に遊技球の停留が可能な状態になる。従って、入賞口21から入賞した遊技球は、誘導口30から落下するときに比較的簡単に停留手段28上に停留する。このため後続の遊技球は、その停留中の遊技球に衝突して停留手段28の左右の何れかを経て下方へと落下し、計数入賞検出手段31で検出された後、遊技盤3 の裏側へと誘導されて行く。
【００３９】
　停止制御部44では、可動部材22の開閉回数及び計数入賞検出手段31の遊技球の検出個数を計数しており、可動部材22が１０回又は２０回等の最大開閉回数まで開閉動作を繰り返すか、またそれまでに計数入賞検出手段31が所定数の遊技球を検出して動作終了条件が成立すると、停止制御部44が開閉制御部43に停止指令を出して可動部材22が第２状態で開閉動作を停止する。
【００４０】
　また停止制御部44が動作終了条件の成立を判定すると、停留・阻止制御部46が停留手段28による遊技球の停留を解除し、その遊技球が下方に落下する。このとき、阻止手段37は後退位置にあり、また停留手段28の直下に特定入賞検出手段29があるため、その遊技球は殆どの場合、特定入賞検出手段29を通過することになる。
【００４１】
　そして、特定入賞検出手段29が遊技球の通過を検出すると、第２制御手段42の継続制御部45が働き、第１ラウンド目の可動部材22の開閉動作の終了後に第２ラウンド目の開閉動作を開始し、可動部材22の開閉動作が第１ラウンド目から第２ラウンド目へと継続し、前述と同様の動作を繰り返す。
【００４２】
　継続制御部45による継続制御によって最終ラウンドになると、停留・阻止制御部46の制御によって停留手段28の停留部材33が後退し、阻止手段37の阻止部材38が前進する。これによって遊技球が停留手段28に停留しなくなり、また停留手段28の保持部32間を遊技球が通過しても、その下に阻止部材38があるため、遊技球が特定入賞検出手段29を通過することはない。従って、動作終了条件の成立により可動部材22の開閉動作が終了し、所定条件の成立による遊技者の利益状態が終了する。
【００４３】
　このように所定条件の成立に関連して開閉回数抽選手段47で可動部材22の最大開閉回数を複数種類の中から択一的に抽選して設定すれば、所定条件が成立する都度、最大開閉回数が変化する可能性があり、また実際にも可動部材22の最大開閉回数が変化するので、遊技者にとっては、そのときの最大開閉回数が多いか否かが重要な関心事のひとつとなる。このため遊技者は、緊迫感を味わいながら面白く遊技を行うことができ、遊技者の興趣が著しく向上する。
【００４４】
　図６は本発明の第２の実施形態を例示し、第２ラウンド目以降の可動部材22の最大開閉回数を、継続条件の成立に関連して複数種類の中から択一的に抽選して設定するようにしたものである。
【００４５】
　即ち、開閉回数抽選手段47は、所定条件の成立に関連して第１ラウンドにおける可動部材22の最大開閉回数を複数種類の中から択一的に抽選して設定する機能と、継続条件の成立に関連して第２ラウンド目以降の各ラウンドにおける可動部材22の最大開閉回数を複数種類の中から択一的に抽選して設定する機能とを備えている。
【００４６】
　従って、開閉回数抽選手段47は、所定条件の成立後、特定入賞検出手段29が遊技球を検出する都度、開閉回数データ記憶部48の開閉回数データを読み出して、各継続ラウンド毎に最大開閉回数を選択し設定することになる。このようにすれば、各ラウンド毎に可動部材22の最大開閉回数が変化する可能性があり、更に変化に富んだ遊技を行うことができる。
【００４７】
上記の実施形態には、次の各発明が包含されている。第１の発明は、遊技者に有利な第１状態と不利な第２状態とに開閉可能な可動部材22と、内部に設けられた特定入賞検出手段29とを有する可変入賞手段13を備え、該可変入賞手段13とは別に設けられた所定入賞手段14と、該所定入賞手段14の遊技球の入賞検出に基づいて可動部材22を一時的に第１状態に開動作させる第１制御手段40と、該第１制御手段40による可動部材22の第１状態への開動作に関連する特定入賞検出手段29の遊技球の入賞検出に基づいて所定条件を成立させる所定条件成立手段41と、該所定条件成立手段41による所定条件の成立により可動部材22を連続的に開閉動作可能とし、且つ所定の動作終了条件の成立により可動部材22を第２状態で停止させる第２制御手段42とを備えた弾球遊技機において、所定条件の成立に関連して可動部材22の最大開閉回数を複数種類の中から択一的に選択設定する開閉回数設定手段47を設けたものである。
【００４８】
　第２の発明は、第１の発明において、第２制御手段42は、特定入賞検出手段29又はそれ以外の入賞検出手段による遊技球の検出に基づく継続条件の成立により可動部材22の開閉動作を継続させる継続機能を備え、最大開閉回数は、所定条件の成立による可動部材22の開閉動作の開始から、その次の開閉動作を継続せずに動作終了するまでの最大値、又は開閉動作の継続開始から、その次の開閉動作を継続せずに動作終了するまでの最大値としたものである。
【００４９】
　第３の発明は、第１又は２の発明において、第２制御手段42は、遊技球の検出に基づく継続条件の成立により可動部材22の開閉動作を継続させる継続機能を備え、開閉回数設定手段47は、継続条件の成立に関連して可動部材22の最大開閉回数を複数種類の中から択一的に抽選して設定する機能を備えた開閉回数抽選手段としたものである。
【００５０】
　第４の発明は、第１〜３の何れかの発明において、開閉回数設定手段47により抽選された最大開閉回数に関連する情報を報知する第１報知手段23を設けたものである。第５の発明は、第１〜４の何れかの発明において、所定条件の成立による可動部材22の開閉動作の開始からの開閉回数に関連する情報及び／又は開閉動作の継続開始からの開閉回数に関連する情報を報知する第２報知手段24を設けたものである。
【００５１】
以上、本発明の各実施形態を例示したが、本発明はこれに限定されるものではない。例えば、可変入賞手段13の構成、特に可動部材22の開閉形態、停留手段28の停留形態、阻止手段37の阻止形態等は何れも例示であって、その具体的な構造等は、本発明の趣旨を逸脱しない範囲内で自在に変更可能である。
【００５２】
　また実施形態では開閉回数設定手段を開閉回数抽選手段47により構成しているが、抽選方式以外の方式で開閉回数を設定するようにしても良い。開閉回数抽選手段47に抽選方式を採用する場合、乱数処理による方式が望ましいが、抽選結果が不規則に変化する方式であれば十分である。開閉回数抽選手段47は、所定条件の成立に関連して最大開閉回数の抽選を行う場合、必ずしも第１ラウンド目からその抽選結果の最大開閉回数に従って可動部材22の開閉回数を設定する必要はなく、第１ラウンド目又は数ラウンド目までの最大開閉回数を一定に固定しておき、その後のラウンドの最大開閉回数を抽選結果に従って設定するようにしても良い。
【００５３】
　第２ラウンド目以降の継続条件は、遊技球の検出に基づいて決定すれば良く、継続条件用の遊技球検出手段は、実施形態に例示のように可変入賞手段13内の特定入賞検出手段29を利用する他、可変入賞手段13の外部に設けることも可能である。
【００５４】
　第１報知手段23、第２報知手段24はスピーカ10等を利用して、聴覚的に報知するようにしても良い。また第１報知手段23、第２報知手段24は、実施形態に例示の視覚的に報知する表示手段と、聴覚的に報知するスピーカ10とを併用しても良い。
【００５５】
また実施形態では、第２種のパチンコ機について詳述したが、この第２種のパチンコ機的な機能と他の機能とを併せ持ったパチンコ機、アレンジボール機、雀球遊技機等であれば、本発明はそれらのアレンジボール機、雀球遊技機等においても同様に実施することが可能である。従って、本発明は、第２種のパチンコ機に限定されるものではない。
【図面の簡単な説明】
【００５６】
【図１】本発明の第１の実施形態を示す弾球遊技機の正面図である。
【図２】本発明の第１の実施形態を示す遊技盤の正面図である。
【図３】本発明の第１の実施形態を示す可変入賞手段の正面断面図である。
【図４】本発明の第１の実施形態を示す可変入賞手段の側面断面図である。
【図５】本発明の第１の実施形態を示す制御系のブロック図である。
【図６】本発明の第２の実施形態を示す制御系のブロック図である。
【符号の説明】
【００５７】
　13  可変入賞手段
　14  所定入賞手段
　22  可動部材
　23  第１報知手段
　24  第２報知手段
　29  特定入賞検出手段
　40  第１制御手段
　41  所定条件成立手段
　42  第２制御手段
　47  開閉回数設定手段
【図１】
2004136122.tif 000003
【図２】
2004136122.tif 000004
【図３】
2004136122.tif 000005
【図４】
2004136122.tif 000006
【図５】
2004136122.tif 000007
【図６】
2004136122.tif 000008